(57)【要約】【課題】  一般的に広く用いられる種類の冷蔵庫において、表示部分における部品点数の削減と意匠付けを不要とする冷蔵庫を得ることを目的とする。【解決手段】  一般的に広く用いられる種類の冷蔵庫において、外箱と、外箱の内側に設けられた断熱材と、断熱材の内側に設けられ、断熱材側に向けて形成された凹部の開口を有する内箱と、光が透過する部分を備えるとともに内箱に開口を覆うように設けられる基板カバーと、光源を備えるとともに基板カバーの凹部側に固定される基板とを備えるものである。【選択図】        図１
2007263558.tif 000002
【特許請求の範囲】
【請求項１】
外箱と、
前記外箱の内側に設けられた断熱材と、
前記断熱材の内側に設けられ、前記断熱材側に向けて形成された凹部に一致する開口を有する内箱と、
光が透過する部分を備えるとともに前記内箱に前記開口を覆うように設けられる基板カバーと、
光源を備えるとともに前記基板カバーの前記凹部側に固定される基板とを備える冷蔵庫。
【請求項２】
基板カバーの光源と対向する位置には、前記光源を囲むようにリブが設けられている請求項１記載の冷蔵庫。
【請求項３】
断熱材側から内箱の開口を覆い凹部を形成する断熱材カバーが設けられている請求項１乃至２のいずれか記載の冷蔵庫。
【請求項４】
断熱カバーの周囲部は開口周囲の断熱材と内箱に挟まれるように設けられ、前記断熱カバーの周囲部と前記内箱との間にシール材が設けられている請求項３記載の冷蔵庫。
【請求項５】
扉が設けられた外箱と、
前記外箱の内側に設けられた断熱材と、
前記断熱材の内側に設けられ、前記断熱材側に向けて形成された凹部に一致する開口を有する内箱と、
前記内箱の前記開口よりもに設けられた棚を固定するためのレール部と、
光が透過する部分を備えるとともに前記内箱に前記開口を覆うように設けられる基板カバーと、
光源を備えるとともに前記基板カバーの前記凹部側に固定される基板と、
前記基板カバーに設けられ、前記レール部よりも前記扉側に配置された温度調節器とを備える冷蔵庫。
【発明の詳細な説明】
【技術分野】
【０００１】
この発明は、冷蔵庫の発光表示装置の構成と冷蔵庫の断熱材部に空間を設ける構成に関するものである。
【背景技術】
【０００２】
図８、図９、図１０は例えば実開昭６４−２２８４号公報に示された従来の冷蔵庫の表示装置を示す図である。図において１は冷蔵庫の外箱、４は光源、６は表示パネル、７は散乱シートであり、文字やパターン等を印刷した非透明の印刷部６ｂと、その一部に透明部６ａを設けた表示パネル６に表示パネルを照らす光源４との間に散乱シート７を表示パネルの透明部６ａに密着して貼り付けて、構成して冷蔵庫本体に配置されている。
【０００３】
また、図１１は例えば実開昭５６ー４５７９８号公報に示された従来の冷蔵庫を示す図である。図において２は冷蔵庫の内箱、１は外箱、１５はドアスイッチ５は断熱材、１３はスイッチケース、１４は柔軟性を有するシール材であり、ドアスイッチ１５を内箱１に配置するため、断熱材５に空間を設け、その空間にスイッチケース１３を配設して断熱材５がスイッチケース内への侵入を防ぐように粘着材付きのシール材１４にてスイッチケース１３を覆っている。
【発明の開示】
【発明が解決しようとする課題】
【０００４】
従来の冷蔵庫の表示装置は以上のように構成されているので、異常表示のような通常の状態では機能しないものでも同様の構成とする必要があり、部品点数が多くなりまた、意匠付けも必要となるという問題点があった。また、従来の冷蔵庫の断熱材に空間を設けるスイッチケースは以上のように構成されているので、ドアスイッチのような小さな部品なら内箱に直接固定しても、ドアスイッチと内箱の隙はできにくいが、温度調節、表示装置から構成される基板を冷蔵庫に配置する基板固定カバーを断熱材に空間を設けて内箱に配置する場合、樹脂製シートを真空成形にて形成された内箱では、ある程度大きさがあり、意匠性を必要とする部品を直接固定するのでは、薄く強度の低い内箱では取付け穴の位置ばらつきが大きく、位置が安定しなくて内箱と取付け部品との間に隙が生じやすく、取付け部品に温度調節ダイヤル等の操作部を操作するとき、強度が低いため変形が生じる等の問題があった。
【０００５】
この発明は、上記のような問題点を解消するためになされたもので、表示装置における部品点数の削減と意匠付けを不要とする冷蔵庫を得ることを目的とする。また、断熱材部に空間を設けて、部品を配置するときの意匠性改善と取付け位置精度の向上を目的とする。
【課題を解決するための手段】
【０００６】
外箱と、外箱の内側に設けられた断熱材と、断熱材の内側に設けられ、断熱材側に向けて形成された凹部の開口を有する内箱と、光が透過性する部分を備えるとともに内箱に開口を覆うように設けられる基板カバーと、光源を備えるとともに基板カバーの凹部側に固定される基板とを備える。
【発明の効果】
【０００７】
外箱と、外箱の内側に設けられた断熱材と、断熱材の内側に設けられ、断熱材側に向けて形成された凹部の開口を有する内箱と、光が透過性する部分を備えるとともに内箱に開口を覆うように設けられる基板カバーと、光源を備えるとともに基板カバーの凹部側に固定される基板とを備えるので、部品点数が削減されるため安価にできる。
【発明を実施するための最良の形態】
【０００８】
この発明の実施の形態を図について説明する。
実施の形態１．
図１は、この発明の実施の形態１による冷蔵庫における発光表示装置の部品構成を示す側断面図である。図２は、この発明の実施の形態１による冷蔵庫において発光表示装置の配置を示す斜視図である。図１は、この発明の実施の形態１による冷蔵庫において発光表示装置の配置を示す要部詳細図である。図２は、この発明の実施の形態１による冷蔵庫において断熱材カバーの内箱への取付けの構成を示す縦断面図である。図３は、この発明の実施の形態１による冷蔵庫において断熱材カバーの内箱への取付け方向の平面図である。
【０００９】
図１において、発行部たる光源４、リード線１７、端子１８、電気抵抗１９及び可変抵抗器２０を備える温度調節用基板９を固定する不透明樹脂製基板カバー８と、温度調節ダイヤル１０とを内箱２に取り付けている。温度調節ダイヤル１０、可変抵抗器２０は温度調節装置を構成している。光源４は、例えば、冷蔵庫の機能が異常状態を呈したときに、異常表示装置として動作する。光源４不透明樹脂製基板カバー８は、光源４の前面の基板カバー部８ａを薄肉に形成し、光源の周囲を囲むリブ８ｂを一体に設けている。図２、図３において、光源４を備えた温度調節用基板９を固定する基板カバー８が冷蔵庫庫内の棚レール３の間に配置されている。
【００１０】
次に動作について説明する。図１、図２、図３において、不透明樹脂製基板カバー８は、不透明樹脂で光の透過性の良い樹脂例えばポリスチレンを採用し、光源４の前面部は肉厚により光の透過率が異なることで最適化して薄肉部８ａを形成している。光源４が発光しない時、基板カバー８の薄肉部８ａが分からない状態とし、光源４が発光している時、薄肉部８ａより外部から発光の視認ができるようにしている。また、光源４の発光時に薄肉部８ａ以外から光が透過しないように光源周囲に基板カバー８と一体にリブ８ｂを設けているが、リブ８ｂは一体構成でなくとも良い。また基板９を一体成形にて製作される基板カバー８にて固定するため、外部から基板９への水等の侵入を防げる。また、基板カバー８の材質としてＡＢＳを使用してもよい。
【００１１】
以上により、通常使用状態においては、光源４を覆う薄肉部により外側から異常表示部の位置を分からなくでき、冷蔵庫の機能の異常時にのみ光源４が発光し、発光により基板カバー８の薄肉部から透過する光を視認できる。また、基板カバー８の薄肉部で光源４の前面を塞いでいて、薄肉部がその周囲と一体となっているので、外部から液体などの侵入を防ぐことができる。またさらに、発光表示装置を光源４を備える基板と基板を固定するカバーのみで発光表示部を構成することができ、光源４を覆う透明シール、蓋等の部品が不要で安価にでき表示パネル、蓋がなくなるため意匠性のよいものとなる。
【００１２】
さらに、光源表面の基板カバー部を薄肉にし、その周囲を光源４を囲んでリブ８ｂを設けることにより光を薄肉部のみ光の透過ができ、表示性をよくできる。
【００１３】
次に、この実施の形態の断熱材５に例えば異常表示装置等を収納する空間を設ける構成を説明する。図１、図４、図５において内箱２と外箱１の間の断熱材５の一部に空間を設けている断熱材カバー１２を内箱２と断熱材５の間に重ねて形成し、内箱２は内箱凹形状部２ａを有し、庫内の棚（図示せず）をのせる棚レール３を内箱凹形状部２ａにはめ込み、断熱材カバー１２と棚レール３で内箱２を挟んでネジ１６にて固定している。また、断熱材５が断熱材カバー１２の空間２２へ侵入することをを防ぐため柔軟性を有するシール材１４が断熱材カバー１２と内箱２の間に断熱材カバー１２の固定による圧力により圧縮して配置されている。シール材１４を圧縮することにより断熱材５の侵入を防ぐことができる。またさらに、断熱材カバー１２の周囲部１２ａを内箱面に接触させることで、断熱材５の発泡における内箱１の変形を断熱材カバー１２にて抑えることができる。
【００１４】
次に断熱材カバー１２の組立て動作について説明する。図４、図５において、棚レール３を内箱１に固定するために断熱材５側に凹んでいる二つの内箱凹形状部２ａの間に断熱材カバー１２を挿入し、内箱凸部２ｂに断熱材カバー１２のネジ固定部１２ｂの端を合わせて位置決めをして、ネジ１６を棚レール３と同時に内箱２に固定する。また、断熱材カバー周囲１２ａに柔軟性のあるシール材１４を配置することで断熱材カバー１２を配置する時、シール材１４を圧縮して内箱凹部２ａと凹部２ａの間に挿入することで固定することができ、ネジ締め前に断熱材カバー１２を押さえておく必要がない。
【００１５】
以上により、棚レール３と断熱材カバー１２をネジにより内箱２に同時に固定することで、高い位置精度で強固に断熱材カバーを固定することができる。また、棚レール２の固定に使用しているネジを断熱材カバー１２の固定に利用することで作業を低減することができる。
【００１６】
さらに、断熱材カバー１２の内側に断熱材５の侵入を防ぐシール材１４を断熱材カバー１２をネジ締めにより内箱２に固定する圧力によりシール材１４を圧縮して固定できるので、シール材１４に粘着材を付けなくても断熱材５の侵入を防げるため、安価にできて、断熱材カバー１２の内箱２取付け作業性がよくなる。
【００１７】
また、断熱材カバー１２を内箱凹部に断熱材カバー周囲に取付けたシール材１４を圧縮して固定できるので、ネジ締め前に断熱材カバー１２を内箱に押さえておく必要がなく、作業が低減できる。
【００１８】
また図１において、光源４として単色光で光強度が高い発光ダイオードを使用することで、基板カバー８の薄肉部８ａに光を透過させたとき光が減衰しても透過後の光強度は視認するに充分である。また、発光ダイオード自体で発光色が決まっているのでカラーフィルム等の部品を通過させて、光を単色光とする必要が無い。また、光源４としてランプを用いる場合はカラーフィルム等を通して薄肉部に光を照射することで光を単色として基板カバー８の色とコントラストをつけることができる。また、光源４と基板カバー８の色は組み合わせとして、赤色と白色、緑色と白色、白色と青色、橙色と白色、青色と赤色等の組み合わせがあり、コントラストの高い表示装置を構成可能となる。
【００１９】
また図１において、基板カバー８を着色材を含む樹脂にて成形して、基板カバーの薄肉部８ａの肉厚により光の透過率を調整する。基板カバーの薄肉部８ａの肉厚を０.７ｍｍとして、その周囲の肉厚を２ｍｍとすることで、周囲の肉厚２ｍｍの部分では発光の確認ができないようにして、薄肉部８ａのみで発光の確認ができるようにする。また、基板カバー８の色を白として、光源４の色を警告色である赤色光を使用することで白と赤のコントラストにより発光表示が確認しやすくなり、異常表示がさらに視認しやすくなる。
【００２０】
次に基板カバー８の内箱２への取付け構成を説明する。図１において、基板カバー８の手前側に内箱２に差し込む形状８ｃを設け、奥側の基板カバー８に爪部８ｄを設けて、断熱材カバー１２の内箱に接する面１２ｃに掛けて固定することで、強度の高い断熱材カバー１２により、強固に内箱２に固定できる。前方の爪形状８ｃを内箱２に差し込むことで、内箱２を浮き上がらさせて基板カバー８に接触させることで、内箱２と基板カバー８の隙をなくす。また、基板カバー８の位置決めとして、前方の断熱材カバーのリブ１２ｄと後方の面１２ｃにて、基板カバー１２と接触させて位置固定する。断熱材カバー１２が前記のようにネジにて棚レール３に固定されているため、位置精度が高く、組立てばらつきがない。
【００２１】
また図３において、温度調節装置を棚レール３のレール部３ａより手前側に配置するようにすることで、食品をのせる棚より手前に温度調節装置が配置されるため、冷蔵庫に収納する食品の影響無しに温度調節をすることができる。また、温度調節装置を床面から８００ｍｍ以上の高さに配置することで、腰を屈めずに温度調節装置を操作することができ、目線の近くに配置されているため操作面が見やすくなる。
【００２２】
また図１において、基板９を基板カバー８に一体成形される複数の爪８ｅのみで固定しているため、ネジ等を使用せずに固定でき、固定作業が容易となり、部品点数も削減できる。また、分解する時においても爪部８ｅを外すことで基板９を取り外せるため、取り外しに工具が必要とせず、解体性に優れる。また、温度調節装置を構成する基板カバー８は爪部８ｄを変形させることで、断熱材カバー１２の面１２ｃより外れ、内箱１から温度調節装置を取り外すことができる。基板カバー８の材質と温度調節用ダイヤル１０の材質を同じとすることで解体時に温度調節装置を冷蔵庫本体より取り外し、銅、ガラス等を含む基板９を外せば、その他の部品、基板固定カバー１２と温度調節用ダイヤル１０を同材質として回収することができ、分別の手間が省ける。
【００２３】
また図１において、断熱材カバー１２の材質として、ＡＢＳを使用することで断熱材５としてウレタンを用いた時に、ウレタンとＡＢＳは容易に接着するため断熱材カバー１２にウレタン収縮よる割れが生じない。また、ＡＢＳ材は強度が高いためウレタン発泡時による圧力に対して十分な強度があるため、ウレタン内に空間を設けるのに、発泡圧力による変形を少ないため、取付け部品との空間を設ける必要がなく断熱材厚さを十分確保しながら、冷蔵庫の壁を薄くすることが可能となる。
【００２４】
また図１、図４、図５において、シール材１４にポリエチレン系発泡材またはウレタン系発泡材を用いて前記のような構成としてシール材を５０％以上圧縮することで、断熱材５がシール材１４を通過して断熱材カバー１２の空間に侵入することはない。また、シール材１４にゴム系発泡材を使用することで、３０％以上圧縮にて断熱材５の侵入を防ぐことができる。
【００２５】
また、図２において、温度調節装置に異常表示装置を設けているが、扉１１を開けた状態で、扉開閉を判断するスイッチ２１に磁石を接触させ扉１１が閉であると判断させて、温度調節用ダイヤル１０を稼動域の上限と下限に稼動させることで、冷蔵庫の機能の自己診断を行わせ、その判定の表示を異常表示用の光源４を使用する。また、温度調節装置に自己診断用のプッシュ式スイッチを設けることで、スイッチを押すことで冷蔵庫に自己診断を行わせ、その判定の表示を異常表示用の光源を使用しても同様の効果が得られる。
【００２６】
また、図１において、基板カバー８の薄肉部８ａの光源４側に凸形状にて印、文字等を設けることで、印、文字以外の薄肉部分が光ることになり凸形状部が表面から認識できるようになる。また、薄肉部８ａ光源側を凹形状にて印、文字形状を薄肉とすることで、光源発光時に印、文字形状として光らせ、印、文字として認識可能となる。
【００２７】
なお、上記実施の形態では、棚レール３の間に発光表示装置を取り付けた場合の構成を説明したが、庫内の奥または、天井面または、庫内床面または、扉１１の外部表面に配置した場合においても、上記実施の形態と同様の効果がある。
【００２８】
実施の形態２．
また、実施の形態１では、表示装置を異常表示として使用した場合の構成を説明したが、図６のように基板カバーの薄肉部８ａの表面に印刷、または刻印にて機能の表示を行い電源の通電時、コンプレッサーの運転時、霜取運転時、ファン運転時、扉開時、切り替え室における切り替えた温度帯を示す時、急速冷凍時、急冷時等における表示装置としても使用でき同様の効果を奏する。また、図７のように光源４と薄肉部８ａを複数配置してタイマー表示、強弱表示等にも使用可能である。
【図面の簡単な説明】
【００２９】
【図１】この発明の実施の形態１による冷蔵庫における発光表示装置の部品構成を示す側断面図である。
【図２】この発明の実施の形態１による冷蔵庫において発光表示装置の配置を示す斜視図である。
【図３】この発明の実施の形態１による冷蔵庫において発光表示装置の配置を示す要部詳細図である。
【図４】この発明の実施の形態１による冷蔵庫において断熱材カバーの内箱への取付けの構成を示す縦断面図である。
【図５】この発明の実施の形態１による冷蔵庫において断熱材カバーの内箱への取付け方向の平面図である。
【図６】この発明の実施の形態２による冷蔵庫において発光表示装置を説明する斜視図である。
【図７】この発明の実施の形態２による冷蔵庫において発光表示装置を示す要部詳細図である。
【図８】従来の冷蔵庫による表示装置の要部を示す断面図である。
【図９】従来の冷蔵庫による表示装置の要部を示す詳細図である。
【図１０】従来の冷蔵庫において表示装置の配置を説明する斜視図である。
【図１１】従来の冷蔵庫においてスイッチカバーの内箱への取付けの構成を示す断面図である。
【符号の説明】
【００３０】
１  外箱、２  内箱、３  棚レール、４  光源、５  断熱材、
８  基板カバー、８ａ  薄肉部、８ｂ  リブ、８ｃ  爪（前方）、
８ｄ  爪（後方）、８ｅ  爪（基板固定）、９  基板、
１０  温度調節用ダイヤル、１１  扉、    １２  断熱材カバー、
１２ａ  断熱材カバー周囲、    １２ｃ  断熱材カバーの内箱に接する面、
１２ｄ  位置決めリブ、    １４  シール材、１７  リード線、
１８  端子、１９  電気抵抗、    ２０  可変抵抗器、２１  扉スイッチ、
２２  空間。
【図１】
2007263558.tif 000003
【図２】
2007263558.tif 000004
【図３】
2007263558.tif 000005
【図４】
2007263558.tif 000006
【図５】
2007263558.tif 000007
【図６】
2007263558.tif 000008
【図７】
2007263558.tif 000009
【図８】
2007263558.tif 000010
【図９】
2007263558.tif 000011
【図１０】
2007263558.tif 000012
【図１１】
2007263558.tif 000013